【事件の表示】
　特許第３２８７３０１号「ダイオキシン類の分解方法」の請求項１ないし３に係る特許に対する特許異議の申立てについて、次のとおり決定する。
【結　論】
　訂正を認める。
　特許第３２８７３０１号の訂正後の請求項１に係る特許を維持する。
【理　由】
１．手続の経緯
　特許出願　　　　　　　平成１０年　２月２０日
　設定登録　　　　　　　平成１４年　３月１５日
　特許異議申立　　　　　平成１４年１２月　４日
　取消理由通知　　　　　平成１５年　４月１０日
　訂正請求　　　　　　　平成１５年　６月１９日
　特許異議意見書　　　　平成１５年　６月１９日
２．訂正の適否
（１）訂正の内容
　本件訂正の内容は、本件特許明細書を訂正請求書に添付された訂正明細書のとおりに、すなわち訂正事項ａ乃至ｄのとおりに訂正しようとするものである。
訂正事項ａ
　特許明細書の【特許請求の範囲】を次のとおりに訂正する。
「【請求項１】ダイオキシン類又はダイオキシン類含有物質と、ジエタノールアミンとを１５０℃以上かつ３００℃よりも低い温度で接触させてダイオキシン類を分解する工程を有するダイオキシン類の分解方法。
【請求項２】ダイオキシン類又はダイオキシン類含有物質と、アンモニウム化合物とを３００℃よりも低い温度で接触させてダイオキシン類を分解する工程を有するダイオキシン類の分解方法。
【請求項３】請求項２において、アンモニウム化合物はアンモニア、尿素及びアンモニア塩の１種又は２種以上であることを特徴とするダイオキシン類の分解方法。
訂正事項ｂ
　特許明細書の段落【０００８】、【０００９】及び【００１０】の「アミン化合物」を「ジエタノールアミン」と訂正する。
訂正事項ｃ
　特許明細書の段落【００１１】及び【００１９】を削除する。
訂正事項ｄ
　特許明細書の段落【００１５】を次のとおりに訂正する。
「本願では、この特願平１０−２９７８９号との重複を避けるために、１５０℃以上３００℃未満の温度領域でジエタノールアミンによってダイオキシン類を分解する点を特許請求する。」
訂正事項ｅ
　特許明細書の段落【００１６】を次のとおりに訂正する。
「なお、アンモニア化合物については特願平１０−２９７８９号には全く開示がない。従って、本願では３００℃未満の温度領域でアンモニウム化合物によってダイオキシン類を分解する点を特許請求する。」
訂正事項ｆ
  特許明細書の段落【００１７】を次のとおりに訂正する。
「本発明では、アンモニウム化合物を１種だけ用いても良く２種以上用いても良い。ジエタノールアミンとアンモニウム化合物とを併用しても良い。」
訂正事項ｇ
　特許明細書の段落【００２１】を次のとおりに訂正する。
「以上、ジエタノールアミン及び／又はアンモニウム化合物とダイオキシン類との接触の形態及びそのときの温度について説明するが、上記の課題を解決するための手段の欄に記載した通り、本願では１５０℃以上３００℃未満の温度条件ではジエタノールアミン（以下においては、「ジエタノールアミン」を「アミン化合物」と称す。）が用いられる。」
訂正事項ｈ
　特許明細書の段落【００２６】を次のとおりに訂正する。
「Ａ：ダイオキシン類含有物質とアミン化合物又はアンモニウム化合物とを混合し、この混合物を３００℃よりも低い温度に加熱し、アミン化合物又はアンモニウム化合物をガス化し、アミン化合物又はアンモニウム化合物をダイオキシン類とを接触させる。」
訂正事項ｉ
　特許明細書の段落【００３４】を次のとおりに訂正する。
「即ち、ジエタノールアミンは１５０℃以上の温度で、ダイオキシン類又はダイオキシン類含有物質と接触させる。」
訂正事項ｊ
　特許明細書の段落【００４３】を次のとおりに訂正する。
「実施例１（比較例を含む）
　２０ｍｍφ×２５０ｍｍのガラスカラムに、都市ごみ焼却炉から排出されて捕集された飛灰３ｇ（ダイオキシン濃度１３３５ｎｇ／ｇ）を詰め、その上に液状のジエタノールアミンを１５０ｍｇ付着させたガラスビーズをのせ、ガラスビーズ側から空気を１５ｍＬ／分で通気しながら室温（２０℃）、５０℃、１００℃、１５０℃、１８０℃、２００℃、２２０℃、２５０℃、２９０℃の各温度で２０分間加熱した。」
訂正事項ｋ
　特許明細書の段落【００４５】を削除する。
訂正事項ｌ
　特許明細書の段落【００４７】を次のとおりに訂正する。
「なお、実施例１の結果及び比較例１の結果から、次式によりダイオキシン類の残存率を算出し、結果を表１に併記した。」　
訂正事項ｍ
　特許明細書の段落【００４９】の【表１】の実施例１を削除し、実施例２を実施例１と訂正する。
訂正事項ｎ
  特許明細書の段落【００５０】を次のとおりに訂正する。
「表１から明らかなように、アミン化合物を用いない比較例１では、飛灰を加熱するとダイオキシン類残存率が増加しており、この温度帯ではダイオキシンを生成するのみで分解は起こらないことがわかる。一方、飛灰にアミン化合物を接触させた実施例１では、ダイオキシンが効果的に分解されていることがわかる。即ち、ジエタノールアミンでは１５０℃以上になるとダイオキシン類が高い分解率にて分解する。」
訂正事項ｏ
　特許明細書の段落【００５１】を削除する。
訂正事項ｐ
　特許明細書の段落【００５２】を次のとおりに訂正する。
「実施例２
　実施例１において、ジエタノールアミンの代わりにアンモニア水溶液を用い、加熱温度を２５０℃としたほかは同様にして実験を行った。ダイオキシン類の残存濃度及び分解率を表２に示す。ガラスビーズに対するアンモニア（ＮＨ３）の付着量は１５０ｍｇである。」
訂正事項ｑ
　特許明細書の段落【００５３】の【表２】の実施例３，４，５，６を削除し、実施例７を実施例２と訂正する。
訂正事項ｒ
　特許明細書の段落【００５４】を次のとおりに訂正する。
「実施例３
　直径２０ｍｍのガラス管の内部に少量のグラスウールを詰め、このガラス管を縦にし、このグラスウールの上に上記と同じ都市ゴミ焼却捕集飛灰３ｇを挿入し、この焼却捕集飛灰の上に重炭酸アンモニウムの粉末０．７ｇ（アンモニアとして１５０ｍｇ）を載せた。」
訂正事項ｓ
　特許明細書の段落【００５７】を次のとおりに訂正する。
「実施例４
　実施例１において、ジエタノールアミンに代えて、アンモニアガスを用い、反応温度を室温（２０℃）とし、かつダイオキシン濃度が３１０ｎｇ／ｇの飛灰を用いた以外は同様の実験を行った。結果を表４に示す。」
訂正事項ｔ
  特許明細書の段落【００５８】を削除する。
訂正事項ｕ
　特許明細書の段落【００５９】の【表４】の実施例９〜１２を削除し、実施例１３を実施例４と訂正する。
訂正事項ｖ
　特許明細書の段落【００６０】を次のとおりに訂正する。
　「表２，３，４より実施例２〜４の場合でもダイオキシン類を高分解率にて分解できることが明らかである。」
（２）訂正の目的の適否、新規事項の有無及び拡張・変更の存否
  訂正事項ａは、（ａ−１）請求項１及び請求項２を削除し、（ａ−２）請求項３の「アルカノールアミン（ただし、モノエタノールアミン、トリエタノールアミン及びメタノールアミンを除く。）、アルキルアルカノールアミン、アルキルアミン及び環式アミンの１種又は２種以上」を「ジエタノールアミン」に限定し、さらに「１００℃以上かつ３００℃よりも低い」を「１５０℃以上かつ３００℃よりも低い」に限定して新たに請求項１とし、また（ａ−３）請求項４を請求項２とし、請求項５の「請求項４において」を請求項４を請求項２にしたことに伴い「請求項２において」として新たに請求項３とするものであるから、特許請求の範囲の減縮を目的とする訂正及び明りょうでない記載の釈明に該当する。そして、上記訂正事項ａの（ａ−１）は、特許明細書の段落【００４５】【００４９】に記載されるのであるから、訂正事項ａは願書に添付した明細書又は図面に記載した事項の範囲内の訂正であり、新規事項の追加に該当せず質上特許請求の範囲を拡張し又は変更するものでもない。
　また訂正事項ｂ〜ｖは訂正事項ａと整合を図るとともに、特許請求の範囲の記載と整合を図るものであるから、明りょうでない記載の釈明に該当する。また訂正事項ｐの中で「表３」を「表２」にする訂正は、段落【００５２】の「実施例７、アンモニア水溶液を用い・・・ダイオキシン類の残存濃度及び分解率」という記載と表３に関する段落【００５４】〜【００５６】の記載内容からみて表記の誤りであることは明らかであるから、誤記の訂正に該当するものである。そして、上記訂正事項ｂ〜ｖは訂正事項ａで見たとおり願書に添付した明細書又は図面に記載した事項の範囲内の訂正であり、新規事項の追加に該当せず、実質上特許請求の範囲を拡張し又は変更するものでもない。
（３）むすび
　したがって、上記訂正は、特許法第１２０条の４第２項及び同条第３項において準用する特許法第１２６条第２項から第４項までの規定に適合するので、当該訂正を認める。
３．特許異議申立について
３−１．本件発明
　上記のとおり、訂正は認められるから、本件特許の発明は、訂正された特許明細書に記載された次のとおりのものである。
【請求項１】ダイオキシン類又はダイオキシン類含有物質と、ジエタノールアミンとを１５０℃以上かつ３００℃よりも低い温度で接触させてダイオキシン類を分解する工程を有するダイオキシン類の分解方法。
【請求項２】ダイオキシン類又はダイオキシン類含有物質と、アンモニウム化合物とを３００℃よりも低い温度で接触させてダイオキシン類を分解する工程を有するダイオキシン類の分解方法。
【請求項３】請求項２において、アンモニウム化合物はアンモニア、尿素及びアンモニア塩の１種又は２種以上であることを特徴とするダイオキシン類の分解方法。
３−２．特許異議申立の理由
（ア）訂正前の請求項１及び２に対し、アミン化合物の中にはダイオキシンを分解することができないアミンを含むものであり、またアルカノールアミンも１００℃未満の温度下でダイオキシン分解能力を殆ど発揮できないから、発明の詳細な説明に記載されたものでなく、また産業上利用することができる発明に該当しないものを含むものであるので、特許法第３６条第６項第１号及び特許法第２９条柱書の規定に違反する。
（イ）訂正前の請求項３に対し、請求項３の記載からダイオキシン等に対してアミン化合物を１００℃以上かつ３００℃よりも低い温度で単に接触させればよいと解釈できるが、単に接触させるだけではダイオキシンを分解することはできず、アミン化合物をガス状化する必要があり、例示されているアミンに対応した有効な温度範囲が特定されておらず不明瞭であるので、請求項３の記載は発明が明確でないから、特許法第３６条第６項第２号の規定に違反する。
３−３．特許異議申立についての判断
（１）理由アについて
　訂正前の請求項１及び２は上記訂正により削除されたので、異議申立の理由は解消された。
（２）理由イについて
　訂正前の請求項３は上記訂正により請求項１（訂正後の請求項１）となったものであるので、訂正後の請求項１について検討する。訂正後の請求項１は前記したようにアミン化合物をジエタノールアミンに限定し、処理温度の下限を１５０℃に限定したものである。そして訂正後の実施例１の表１から「１５０℃以上３００℃未満」の処理温度でダイオキシン濃度が２４５以下に低減しているのであるから、ダイオキシン類の分解効果は明らかであり、その処理温度範囲でダイオキシン類反応を進行させることができる高い蒸気圧を有するものとみることができる。したがって、異議申立の理由イの不備は上記訂正によって解消され、訂正後の請求項１の記載は発明が明確でないとまではいえない。
４．結論
　以上のとおりであるから、特許異議の申立の理由及び証拠によっては、本件訂正後の請求項１に係る発明についての特許を取り消すことができない。
　また、他に本件訂正後の請求項１に係る発明の特許を取り消すべき理由を発見しない。
  よって、結論のとおり決定する。
【異議決定日】
平成１５年８月５日（２００３．８．５）
【訂正の要旨】
審決（決定）の【理由】欄参照。
（５４）【発明の名称】
ダイオキシン類の分解方法
（５７）【特許請求の範囲】
　【請求項１】　ダイオキシン類又はダイオキシン類含有物質と、
ジエタ
ンと
５
　【請求項２】　ダイオキシン類又はダイオキシン類含有物質と、アンモニウム化合物とを３００℃よりも低い温度で接触させてダイオキシン類を分解する工程を有するダイオキシン類の分解方法。
　【請求項３】　請求項
２
【発明の詳細な説明】
　【０００１】
　【発明の属する技術分野】
　本発明はダイオキシン類の分解方法に係り、特に、ごみ焼却炉等の各種焼却炉から排出される飛灰及び焼却灰（以下、これらを併せて「焼却灰」と称す。）中に含まれるポリ塩化−ｐ−ジベンゾダイオキシン類（ＰＣＤＤ）やポリ塩化ジベンゾフラン類（ＰＣＤＦ）（以下、これらを併せて「ダイオキシン類」と称す。）等の有機塩素化合物を効率的に分解する方法に関する。
　【０００２】
　【従来の技術】
　ごみ焼却炉等の焼却炉においては、燃焼中に、フェノール、ベンゼン、アセチレン等の有機化合物、クロロフェノール、クロロベンゼン等の塩素化芳香族化合物や塩素化アルキル化合物等のダイオキシン類前駆体が発生する。これらのダイオキシン類前駆体は、飛灰が共存するとその触媒作用でダイオキシン類となって焼却灰中に存在する。
　【０００３】
　従来、このようなダイオキシン類含有飛灰の処理方法としては次のような方法が提案されている。
　【０００４】
▲１▼　ダイオキシン類含有飛灰を窒素ガス等の還元性雰囲気下、３２０〜４００℃で１〜２時間（例えば、３２０℃では２時間、３４０℃では１〜１．５時間）保持する（ハーゲンマイヤープロセス“ＯＲＧＡＮＯＨＡＬＯＧＥＮ　ＣＯＭＰＯＵＮＤＳ　Ｖｏ．２７（１９９６）”１４７〜１５２頁）。
　【０００５】
▲２▼　ダイオキシン類含有飛灰をダイオキシン生成抑制剤の存在下３００〜５００℃で熱処理する（特開平４−２４１８８０号公報）。ダイオキシンは従来から３００℃未満では熱分解しないと言われており、この方法は、基本的に前記定説通り３００℃以上の加熱によってダイオキシンを分解するものであり、加熱処理中にダイオキシン前駆体からダイオキシンの生成を抑制するために、ダイオキシン分解温度帯域でダイオキシン生成抑制剤を飛灰に添加している。具体的には、生成抑制剤としてのピリジン蒸気存在下、飛灰を４００℃で２時間加熱している。
　【０００６】
　上記従来の方法では、処理温度が高く、処理時間も長いため、必要とされる加熱エネルギーが多く、処理コストが高くつくという欠点がある。特に、上記▲１▼の方法では窒素ガス等の還元性雰囲気で処理する必要があり、そのための手間とコストが嵩む。
　【０００７】
　【発明が解決しようとする課題】
　本発明は上記従来の問題点を解決し、従来法ではダイオキシン類は分解しないと考えられていた低温域でも、短時間でダイオキシン類を分解除去することができ、かつ、酸素存在下でも実施可能なダイオキシン類の分解方法を提供することを目的とする。
　【０００８】
　【課題を解決するための手段】
　ダイオキシン類又はダイオキシン類含有物質と、
ジエタノールアミン
　【０００９】
　本発明によれば、ダイオキシン類中の塩素と
ジエタノールアミン
　【００１０】
　
ジエタノールアミン
。
　【００１１】
　【００１２】
　
ア
　【００１３】
　なお、本出願人は特願平１０−２９７８９号を出願している。同号は、アミン化合物を用いたダイオキシン類の分解方法に関するものであり、
　その請求項１は「ダイオキシン類又はダイオキシン類含有物質と、ガス状のアミン化合物とを１００℃以上３００℃未満の条件下で接触させることを特徴とするダイオキシン類の分解方法。」であり、
　その請求項２は「ダイオキシン類又はダイオキシン類含有物質に液状もしくはガス状のアミン化合物を添加した後、１００℃以上３００℃未満の条件下で前記アミン化合物をガス状で接触させることを特徴とするダイオキシン類の分解方法。」である。
　【００１４】
　同号では、アミン化合物としては、モノエタノールアミン、トリエタノールアミン、メタノールアミンが例示されている。
　【００１５】
　本願では、この特願平１０−２９７８９号との重複を避けるために
、１５０℃以上３００℃未満の温度領域でジエタノールアミンによってダイオキシン類を分解する点を
　【００１６】
　なお、アンモニウム化合物については特願平１０−２９７８９号には全く開示がない。従って、本願では３００℃未満の温度領域でアンモニウム化合物によってダイオキシン類を分解する点を特許請求する。
　【００１７】
　本発明では
、ア
ジエタノールアミン
　【００１８】
　【発明の実施の形態】
　本発明において、ダイオキシン類としては、ゴミ焼却炉、工場焼却炉等の各種焼却炉から排出される排ガス中に含まれているダイオキシン類が例示される。ダイオキシン類含有物質としては、ダイオキシン類を吸着した焼却灰やダイオキシン類を吸着処理するために添加された粉末活性炭、ダイオキシン類で汚染された土壌等が例示される
。
　【００１９】
　【００２０】
　
ア
　【００２１】
　以下、
ジエタノールアミン
５
ジエタノールアミン（以下においては、「ジエタノールアミン」を「アミン化合物」と称す。）
　【００２２】
　アミン化合物又はアンモニウム化合物を焼却灰又は捕集された飛灰と接触させてダイオキシン類を分解する場合、アミン化合物又はアンモニウム化合物を焼却灰又は捕集された飛灰に対して０．１〜１０重量％、特に１〜５重量％の割合で接触させるのが好ましい。接触させるときの温度が低くなるほどアミン化合物又はアンモニウム化合物の量を多くするのが好ましい。
　【００２３】
　アミン化合物又はアンモニウム化合物の添加形態は、ガス状、液状、水溶液状のいずれであっても良い。ダイオキシン類又はダイオキシン類含有物質はガス状のアミン化合物又はアンモニウム化合物と接触することにより効率良く分解されるので、アミン化合物又はアンモニウム化合物は３００℃よりも低い温度で十分に高い蒸気圧を有することが好ましい。
　【００２４】
　アミン化合物又はアンモニウム化合物の液状物又は水溶液を排ガスへ噴霧したり、予め焼却灰等と混練した場合、３００℃よりも低い温度で該アミン化合物又はアンモニウム化合物が十分にガス状になるような蒸気圧を有するアミン化合物又はアンモニウム化合物を選択するのが好ましい。
　【００２５】
　アミン化合物又はアンモニウム化合物を被処理物と接触させる方法としては、ダイオキシン類含有物質が、土壌や焼却灰、捕集された飛灰などである場合には、例えば次のＡ，Ｂ，Ｃの方法を採用できる。
　【００２６】
Ａ：ダイオキシン類含有物質とアミン化合物又はアンモニウム化合物とを混合し
、こ
　【００２７】
Ｂ：アミン化合物又はアンモニウム化合物を３００℃よりも低い温度に加熱してガス化し、このガスを含む気流をダイオキシン類含有物質と接触させる。
　【００２８】
Ｃ：アミン化合物又はアンモニウム化合物を固体物質に付着させ、この固体物質をダイオキシン類含有物質に混ぜるか、ダイオキシン類含有物質の上に載せ、３００℃よりも低い温度に加熱する。好ましくはこの際気体を流す。
　【００２９】
　ダイオキシン類やダイオキシン類含有物質が燃焼排ガスなどの気流中にガス状となって又は粒子となって浮遊して存在する場合には、例えば次のＤ，Ｅ，Ｆの方法を採用できる。
　【００３０】
Ｄ：この気流中にアミン化合物又はアンモニウム化合物の気化物又は該気化物を含むガスを供給する。
　【００３１】
Ｅ：この気流中に液状のアミン化合物又はアンモニウム化合物を霧状又は液滴状に供給する。
　【００３２】
Ｆ：この気流中にアミン化合物又はアンモニウム化合物を溶解させた液を霧状又は液滴状に供給する。
　【００３３】
　排ガス中の飛灰を捕集する集塵器が排ガス煙道に設けられている燃焼設備においては、集塵器手前の排ガス煙道または集塵器中にガス状、液状又は溶液となっているアミン化合物又はアンモニウム化合物を供給するのが好ましい。通常の場合、電気集塵器の集塵器入口ガス温度は２００〜２３０℃であり、濾過式集塵器の集塵器入口ガス温度は１４０〜２００℃程度であるので、この集塵器又はそれよりも上流側に供給されるアミン化合物又はアンモニウム化合物は１４０〜２３０℃において十分に高い蒸気圧を有することが望ましい。
　【００３４】
　通常、ダイオキシン類は３００℃よりも低い温度では分解しない。本発明においては、ダイオキシン類又はダイオキシン類含有物質とアミン化合物又はアンモニウム化合物とを接触させる際の温度は３００℃よりも低いが、ダイオキシン類中の塩素とアミン化合物又はアンモニウム化合物とが反応することにより、ダイオキシン類の脱塩素反応が進行し、ダイオキシン類が分解される。この接触時の最低温度はアミン化合物又はアンモニウム化合物の蒸気圧又は気化しやすさによって決定される。即ち
、ジ
の温度で、
させる。
　【００３５】
　アミン化合物又はアンモニウム化合物と被処理物との接触時間が長くなるほどダイオキシン類の分解率が向上するが、過度に高い接触時間は処理コストを高くする。本発明の方法では、通常の場合３〜６０分とくに４〜４０分とりわけ５〜３０分程度の接触時間で十分に高い分解率を得ることができる。接触時の温度が低くなるほど接触時間を長くするのが好ましく、例えば接触時の温度が室温の場合は接触時間を２０〜４０分程度とするのが好ましい。
　【００３６】
　アミン化合物又はアンモニウム化合物とダイオキシン類又はダイオキシン類含有物質とは、還元性雰囲気で接触しても、また酸素存在下、即ち、大気中もしくは排ガス中で接触してもダイオキシン類が十分に分解する。従って、本発明方法を実施する場合、雰囲気調整のための設備や作業は通常の場合不要である。
　【００３７】
　ただし、ダイオキシン類又はダイオキシン類含有物質とアミン化合物又はアンモニウム化合物と接触させる場合、この化合物がこの接触時の温度よりも低い引火点を有するならば、爆発に注意すべきである。この接触時の雰囲気中における該化合物の濃度が爆発限界濃度よりも低ければ、爆発は回避される。この雰囲気中の酸素濃度が爆発限界酸素濃度よりも低ければ同様に爆発は有効に回避される。それ故に、雰囲気中の酸素濃度を低くする処置は爆発防止に効果的であり、そのような処置としては、雰囲気に対し窒素ガス、炭酸ガス、水蒸気、燃焼排ガスなどの無酸素又は低酸素の気体を供給することが例示される。
　【００３８】
　爆発に対する注意は、通常の空気雰囲気下で分解反応を行う場合に多く払われるべきである。集塵器から排出される燃焼排ガスの一部を送風機などを用いて供給して空気と置換することは、反応雰囲気の酸素濃度を低下させる低コストの好ましい方法である。
　【００３９】
　本発明の方法に従って焼却灰又は捕集された飛灰を処理する場合、キレート剤又はリン酸等の重金属固定化剤を併用して、ダイオキシン類の分解と共に、灰中の重金属の固定化処理を同時に行っても良い。
　【００４０】
　処理される灰は、焼却炉排ガス中のダイオキシン類の吸着除去剤として焼却炉の煙道に吹き込まれた粉末活性炭を含むものであっても良い。
　【００４１】
　本発明方法により処理された灰や土壌は、そのまま、或いは更に前述の重金属固定化処理等を施した後、例えば、固化処理、ドラム缶に詰めて保管する処理又は、埋立される。
　【００４２】
　【実施例】
　以下に実施例及び比較例を挙げて、本発明をより具体的に説明する。
　【００４３】
実施例１
（比較例を含む）
　２０ｍｍφ×２５０ｍｍのガラスカラムに、都市ごみ焼却炉から排出されて捕集された飛灰３ｇ（ダイオキシン濃度１３３５ｎｇ／ｇ）を詰め、その上に液状の
ジ
　【００４４】
　その後、処理物のダイオキシン類濃度を測定し、結果を表１に示した
。
　【００４５】
　【００４６】
比
　ガラスビーズに何も付着させなかったこと以外は実施例１と同様にして実験を行った。処理物のダイオキシン類濃度の測定値を表１に示す。
　【００４７】
　なお、実施例
１の
　【００４８】
　【数１】
　【００４９】
　【表１】
　【００５０】
　表１から明らかなように、アミン化合物を用いない比較例１では、飛灰を加熱するとダイオキシン類残存率が増加しており、この温度帯ではダイオキシンを生成するのみで分解は起こらないことがわかる。一方、飛灰にアミン化合物を接触させた実施例
１で
い
、ジ
。
　【００５１】
　【００５２】
実
２
　実施例１において、
ジ
２
　【００５３】
　【表２】
　【００５４】
実施例
３
　直径２０ｍｍのガラス管の内部に少量のグラスウールを詰め、このガラス管を縦にし、このグラスウールの上に上記と同じ都市ゴミ焼却捕集飛灰３ｇを挿入し、この焼却捕集飛灰の上に重炭酸アンモニウムの粉末０．７ｇ（アンモニアとして１５０ｍｇ）を載せた。
　【００５５】
　このガラス管を縦にしたまま管状炉に挿入し、灰の温度が５０℃、１００℃又は２５０℃となるように加熱し、上方から室温（２０℃）の空気を１５ｍＬ／分の割合で２０分間流した。その後、処理物のダイオキシン類の濃度を測定し、結果を表３に示した。
　【００５６】
　【表３】
　【００５７】
実施例
４
　実施例１において、
ジ
アミン
、ア
ガス
）と
。
　【００５８】
　【００５９】
　【表４】
　【００６０】
　表２，３，４より実施例
２
４
　【００６１】
　【発明の効果】
　以上詳述した通り、本発明のダイオキシン類の分解方法によれば、ダイオキシン類を、通常では分解が起こらない低温域で、短時間に分解除去することができるため、処理に必要なエネルギーコストの低減、処理効率の向上が可能となり、処理コストを大幅に低減することができる。しかも、本発明の方法は、処理雰囲気を還元性雰囲気とすることなく大気中又は排ガス中にて実施することができるため、処理設備が簡便で、容易に実施できる。